(57)【特許請求の範囲】
【請求項１】
コンピュータに、
複数の動画を再生可能な表示領域における各動画の表示サイズを制御する制御情報を含む複数の動画それぞれについて、前記表示領域における垂直方向または水平方向の幅の指定を受け付け、
前記複数の動画それぞれについて指定された幅の表示サイズが等しくなるように前記制御情報を更新して、前記複数の動画の表示サイズを調整する、
処理を実行させることを特徴とする動画再生プログラム。
【請求項２】
前記コンピュータに、
再生中の前記複数の動画それぞれについて、前記幅の指定を受け付ける処理を実行させることを特徴とする請求項１記載の動画再生プログラム。
【請求項３】
前記コンピュータに、
前記垂直方向または水平方向の幅の指定として、前記複数の動画それぞれの表示領域内での所定領域の指定を受け付け、
前記表示サイズの調整において、前記複数の動画において指定された前記所定領域の垂直方向および水平方向の幅の表示サイズが等しくなるように、前記複数の動画間で表示サイズを調整する、
処理を実行させることを特徴とする請求項１又は請求項２記載の動画再生プログラム。
【請求項４】
前記コンピュータに、
前記複数の動画それぞれについて調整された前記表示サイズの情報を記憶部に記憶するように制御する
処理を実行させることを特徴とする請求項１〜請求項３のいずれか１項記載の動画再生プログラム。
【請求項５】
複数の動画を再生可能な表示領域における各動画の表示サイズを制御する制御情報を含む複数の動画それぞれについて、前記表示領域における垂直方向または水平方向の幅の指定を受け付ける受付部と、
前記複数の動画それぞれについて指定された幅の表示サイズが等しくなるように前記制御情報を更新して、前記複数の動画の表示サイズを調整する調整部と、
を含む動画再生装置。
【請求項６】
コンピュータに、
複数の動画を再生可能な表示領域における各動画の表示サイズを制御する制御情報を含む複数の動画それぞれについて、前記表示領域における垂直方向または水平方向の幅の指定を受け付け、
前記複数の動画それぞれについて指定された幅の表示サイズが等しくなるように前記制御情報を更新して、前記複数の動画の表示サイズを調整する、
処理を実行させることを特徴とする動画再生方法。
【発明の詳細な説明】
【技術分野】
【０００１】
本発明は、動画再生プログラム、動画再生装置、及び動画再生方法に関する。
【背景技術】
【０００２】
従来、体を動かして行うスポーツ、演技又は行為等の体の動かし方を指導するための指導方法が提案されている。この方法では、指導をうける受講者が行うスポーツ、演技又は行為等をビデオ・カメラで撮影し、複数のビデオ画像を画面上で対比をしながら指導する。また、指導者が行うスポーツ、演技又は行為等を同一画面上で比較し、その正しいフォームやタイミングを受講者に理解させる。
【先行技術文献】
【特許文献】
【０００３】
【特許文献１】特開平７−１４４０３８号公報
【発明の概要】
【発明が解決しようとする課題】
【０００４】
本発明は、一つの側面として、複数の動画の比較を容易にすることを目的とする。
【課題を解決するための手段】
【０００５】
本発明は、一つの態様として、複数の動画それぞれについて、動画の表示領域内で垂直方向または水平方向の幅の指定を受け付ける。そして、前記複数の動画それぞれについて指定された幅の表示サイズが等しくなるように、前記複数の動画間で表示サイズを調整する。
【発明の効果】
【０００６】
一つの側面として、複数の動画の比較を容易にすることができる、という効果を有する。
【図面の簡単な説明】
【０００７】
【図１】第１〜第３実施形態に係る動画再生システムの概略構成を示すブロック図である。
【図２】第１実施形態における動画再生画面の一例を示す図である。
【図３】垂直幅指定バーが表示された動画再生画面の一例を示す図である。
【図４】２つの動画の表示サイズが調整された動画再生画面の一例を示す図である。
【図５】第１〜第３実施形態に係る動画再生装置として機能するコンピュータの概略構成を示すブロック図である。
【図６】表示サイズ調整処理の一例を示すフローチャートである。
【図７】水平幅指定バーが表示された動画再生画面の一例を示す図である。
【図８】２つの動画の表示サイズが調整された動画再生画面の一例を示す図である。
【図９】第２実施形態における動画再生画面の一例を示す図である。
【図１０】指定枠が表示された動画再生画面の一例を示す図である。
【図１１】２つの動画の表示サイズが調整された動画再生画面の一例を示す図である。
【図１２】共有情報テーブルの一例を示す図である。
【図１３】共有ユーザテーブルの一例を示す図である。
【図１４】第３実施形態における動画再生画面の一例を示す図である。
【図１５】共有リスト表示ボタンが表示された動画再生画面の一例を示す図である。
【図１６】共有リスト画面の一例を示す図である。
【図１７】送信側ユーザの動画再生装置と、動画管理装置と、受信側ユーザの動画再生装置との間でやり取りされる処理の流れを表したシーケンス図である。
【図１８】共有情報送信処理の一例を示すフローチャートである。
【図１９】共有情報受信処理の一例を示すフローチャートである。
【図２０】共有動画送信処理の一例を示すフローチャートである。
【図２１】共有動画再生処理の一例を示すフローチャートである。
【発明を実施するための形態】
【０００８】
以下、図面を参照して、本発明に関する実施形態の一例を詳細に説明する。
【０００９】
＜第１実施形態＞
図１に示すように、第１実施形態に係る動画再生システム１０は、動画再生装置２０と、動画管理装置３０とを含む。動画再生装置２０と、動画管理装置３０とは、互いにネットワークを介して接続されている。
【００１０】
動画管理装置３０は、動画再生装置２０への動画データの配信等の制御を行う制御部３１と、ユーザに提供可能な複数の動画データが格納された動画データベース（ＤＢ）３２とを含む。本実施形態では、１つの動画データを所定時間（例えば、１０秒）毎に分割した分割ファイルをＨＴＴＰ（Hypertext Transfer Protocol）により順次配信する方式により、動画データを動画再生装置２０に配信する。例えば、ＨＬＳ（HTTP Live Streaming）やＭＰＥＧ−ＤＡＳＨ（Moving Picture Experts Group - Dynamic Adaptive Streaming over HTTP）等のような方式である。そのため、動画ＤＢ３２には、各動画データについて、分割ファイルの再生順などを記述したプレイリストも格納されている。また、動画ＤＢ３２には、各動画データを配信可能なユーザの識別情報（例えば、ユーザ名）を管理するための管理情報も格納されている。
【００１１】
制御部３１は、動画再生装置２０においてユーザが動画再生のアプリケーションにログインすると、ログインユーザの識別情報（例えば、ユーザ名）を受け付ける。制御部３１は、ログインユーザへの配信が許可されている動画データのプレイリスト一覧を、動画再生装置２０へ送信する。プレイリスト一覧は、ログインユーザに配信が許可されている動画データの各々のプレイリスト名を一覧にしたものであり、プレイリスト名の他に、動画データの他のメタ情報やサムネイル画像等を含むことができる。なお、サムネイル画像は、動画データに含まれるいずれかのフレーム画像から予め生成したものを動画ＤＢ３２に格納しておいてもよいし、プレイリスト一覧を送信する際に生成してもよい。
【００１２】
また、制御部３１は、動画再生装置２０からの動画データの要求を受け付けると、要求された動画データに対応するプレイリストを動画ＤＢ３２から取得し、動画再生装置２０に送信する。また、制御部３１は、プレイリストに従って動画再生装置２０から順次要求される分割ファイルを動画ＤＢ３２から取得し、順次動画再生装置２０に送信する。
【００１３】
動画再生装置２０は、動画再生画面６０（詳細は後述）が表示される表示部、及び情報を入力するための入力部を備えたユーザ端末に搭載され、動画再生のアプリケーションとして機能する。ユーザ端末は、例えば、パーソナルコンピュータ（ＰＣ）、ノート型ＰＣ、タブレット端末、スマートフォン等の情報処理装置である。
【００１４】
動画再生装置２０は、図１に示すように、機能的には、取得部２１と、表示制御部２２とを含む。なお、表示制御部２２は、本発明の受付部及び調整部の一例である。
【００１５】
取得部２１は、ログインユーザの識別情報（例えば、ユーザ名）を動画管理装置３０へ送信することにより、動画管理装置３０から、ログインユーザに配信が許可されている動画データのプレイリスト一覧を取得し、表示制御部２２へ受け渡す。また、取得部２１は、プレイリスト一覧からユーザにより選択された動画のプレイリスト名を動画管理装置３０へ送信することにより、動画管理装置３０に動画データを要求し、その動画データに対応するプレイリストを取得する。また、取得部２１は、取得したプレイリストに従って、動画管理装置３０へ順次分割ファイルを要求し、動画管理装置３０から分割ファイルを順次取得する。取得部２１は、取得した分割ファイルを、順次表示制御部２２へ受け渡す。
【００１６】
表示制御部２２は、取得部２１からプレイリスト一覧を受け取ると、例えば、図２に示すような動画再生画面６０を表示部に表示する。図２の例では、動画再生画面６０の画面中央に設けられた動画再生領域６１において、複数の動画を再生可能である。なお、本実施形態では、２つの動画を再生する場合を例に説明する。また、動画再生画面６０左側の動画を左動画６２Ｌ、右側の動画を右動画６２Ｒという。なお、プレイリスト一覧から所望の動画が未だ選択されていない状態では、動画再生領域６１には、左動画６２Ｌ及び右動画６２Ｒは表示されない。
【００１７】
表示制御部２２は、動画再生画面６０の所定領域に、再生する左動画６２Ｌを選択するための左動画用のプレイリスト一覧６３Ｌと、再生する右動画６２Ｒを選択するための右動画用のプレイリスト一覧６３Ｒとを表示する。図２では、各プレイリスト一覧６３Ｌ、６３Ｒとして、各プレイリストが示す動画のサムネイル画像を表示する例を示している。表示制御部２２は、スクロールなどにより、全てのサムネイル画像を確認可能な状態で、各プレイリスト一覧６３Ｌ、６３Ｒを表示する。なお、プレイリスト一覧の表示形態は、図２に示すように、サムネイル画像を用いる場合に限定されない。プレイリスト一覧に含まれるプレイリスト名を一覧で表示してもよいし、プレイリスト名をサムネイル画像と共に表示してもよい。動画管理装置３０から取得したプレイリスト一覧に他のメタ情報も含まれる場合は、それらのメタ情報も共に表示してもよい。
【００１８】
表示制御部２２は、左動画用のプレイリスト一覧６３Ｌ及び右動画用のプレイリスト一覧６３Ｒの各々に対するダブルクリックやダブルタップ等の操作により、サムネイル画像が選択されると、選択されたサムネイル画像を強調表示する。表示制御部２２は、強調表示としては、例えば、枠線を太くする、サイズを大きくする、輝度を高くする等の表示制御を行うことができる。また、表示制御部２２は、左動画用のプレイリスト一覧６３Ｌから選択されたサムネイル画像に対応するプレイリスト名と、右動画用のプレイリスト一覧６３Ｒから選択されたサムネイル画像に対応するプレイリスト名とを、取得部２１に通知する。
【００１９】
また、表示制御部２２は、取得部２１から分割ファイルを受け取ると、左動画用のプレイリスト一覧６３Ｌから選択されたサムネイル画像に対応する動画を左動画６２Ｌとして、動画再生領域６１に表示する。また、右動画用のプレイリスト一覧６３Ｒから選択されたサムネイル画像に対応する動画を右動画６２Ｒとして、動画再生領域６１に表示する。
【００２０】
ここで、ＨＴＭＬ（HyperText Markup Language）による動画のストリーミング再生の一般的な手法では、動画が再生される領域の位置やサイズは予め固定されている。本実施形態では、左動画６２Ｌ及び右動画６２Ｒの各々に、表示サイズ及び表示位置の制御情報を持たせ、表示制御部２２は、この制御情報を用いて、左動画６２Ｌ及び右動画６２Ｒの各々を、動画再生領域６１の任意の位置に任意のサイズで配置する。制御情報である表示サイズは、例えば、左動画６２Ｌ及び右動画６２Ｒの各々の幅及び高さを指定する情報である。制御情報である表示位置は、左動画６２Ｌ及び右動画６２Ｒの各々の任意の一点（例えば、左上角）のｘ座標及びｙ座標を指定する情報である。なお、ｘ座標及びｙ座標は、動画再生領域６１の左上角を原点とし、右方向がｘ軸のプラス方向、下方向がｙ軸のプラス方向となる座標系を設定した場合の座標値を用いることができる。
【００２１】
また、表示制御部２２は、動画再生画面６０の所定領域に、左動画６２Ｌの再生を制御するための左動画用の操作ボタン群６４Ｌと、右動画６２Ｒの再生を制御するための右動画用の操作ボタン群６４Ｒとを表示する。さらに、表示制御部２２は、左動画６２Ｌの再生と右動画６２Ｒの再生とを同時に制御するための共通操作ボタン群６４Ｃを表示する。各操作ボタン群６４Ｌ、６４Ｃ、６４Ｒの各々は、操作ボタンとして、例えば、早戻しボタン、再生ボタン、一時停止ボタン、早送りボタン、コマ戻しボタン、スロー再生ボタン、コマ送りボタン等を含む。
【００２２】
表示制御部２２は、左動画用の操作ボタン群６４Ｌの操作ボタンがユーザにより操作された場合には、操作されたボタン及び操作量に基づいて、左動画６２Ｌの再生を制御する。また、表示制御部２２は、右動画用の操作ボタン群６４Ｒの操作ボタンがユーザにより操作された場合には、操作されたボタン及び操作量に基づいて、右動画６２Ｒの再生を制御する。また、表示制御部２２は、共通操作ボタン群６４Ｃの操作ボタンがユーザにより操作された場合には、操作されたボタン及び操作量に基づいて、左動画６２Ｌ及び右動画６２Ｒの両方の再生を制御する。これにより、左動画６２Ｌ及び右動画６２Ｒの各々の再生が制御可能なだけでなく、両動画６２Ｌ、６２Ｒを同期させて再生させることも可能である。例えば、左動画６２Ｌを所望のタイミングで一時停止し、その一時停止したコマ画像とタイミングを合わせたい右動画６２Ｒのコマ画像をコマ送り等で探索して表示させた状態で、共通操作ボタン群６４Ｃの再生ボタンを選択する。これにより、所望のコマ画像の再生タイミングを一致させた同期再生が実現できる。
【００２３】
また、表示制御部２２は、動画再生画面６０の所定領域に、垂直幅指定バー表示ボタン６５を表示する。垂直幅指定バーとは、左動画６２Ｌ及び右動画６２Ｒの各々についての垂直方向の表示サイズの調整の基準となる幅を指定するためのマークである。垂直幅指定バー表示ボタン６５が選択されると、表示制御部２２は、例えば、図３に示すように、左動画６２Ｌ上に２本の左動画用の垂直幅指定バー６６Ｌを表示し、右動画６２Ｒ上に２本の右動画用の垂直幅指定バー６６Ｒを表示する。垂直幅指定バー表示ボタン６５が選択された際に表示する各垂直幅指定バー６６Ｌ、６６Ｒの位置は、予め定めた初期位置（例えば、各動画６２Ｌ、６２Ｒの高さ１／４の位置と３／４の位置）とすることができる。
【００２４】
また、表示制御部２２は、動画再生画面６０の所定領域に、左動画用の垂直幅指定バー位置調整ボタン６７Ｌ、及び右動画用の垂直幅指定バー位置調整ボタン６７Ｒを表示する。各垂直幅指定バー位置調整ボタン６７Ｌ、６７Ｒは、各垂直幅指定バー６６Ｌ、６６Ｒの高さの変更を指示するためのボタンである。例えば、表示制御部２２は、クリックやタップ操作等により、２本の左画像用の垂直幅指定バー６６Ｌのうち、いずれか一方の左画像用の垂直幅指定バー６６Ｌの選択を受け付ける。そして、表示制御部２２は、左画像用の垂直幅指定バー位置調整ボタン６７Ｌの上方向又は下方向を示すボタンが１回選択される毎に、選択された左画像用の垂直幅指定バー６６Ｌの表示位置を所定画素（例えば、１画素）分ずつ、上方又は下方に移動させる。表示制御部２２は、右画像用の垂直幅指定バー６６Ｒについても、右画像用の垂直幅指定バー位置調整ボタン６７Ｒの選択に応じて、表示位置を移動させる。なお、各垂直幅指定バー６６Ｌ、６６Ｒは、ドラッグやスワイプ操作などにより、上下方向に直接移動可能としてもよい。
【００２５】
表示制御部２２は、２本の左動画用の垂直幅指定バー６６Ｌの垂直方向の間隔を、動画６２Ｌについて指定された幅として受け付け、２本の右動画用の垂直幅指定バー６６Ｒの垂直方向の間隔を、動画６２Ｒについて指定された幅として受け付ける。
【００２６】
また、表示制御部２２は、動画再生画面６０の所定領域に、垂直幅指定バー表示ボタン６５に代えて、表示サイズ調整実行ボタン６８を表示する。表示サイズ調整実行ボタン６８が選択されると、表示制御部２２は、図４に示すように、各動画６２Ｌ、６２Ｒにおいて指定された幅の表示サイズが等しくなるように、左動画６２Ｌ及び右動画６２Ｒの少なくとも一方の表示サイズを調整する。なお、図４では、左動画６２Ｌの表示サイズを拡大した例を示しており、拡大前の左動画６２Ｌを点線Ｐ１で、各動画６２Ｌ、６２Ｒにおいて指定されていた各垂直幅指定バー６６Ｌ、６６Ｒが表示されていた位置を、点線Ｐ２で示している。
【００２７】
具体的には、表示制御部２２は、各動画６２Ｌ、６２Ｒにおいて指定された幅、現在の左動画６２Ｌ及び右動画６２Ｒの各々の表示位置及び表示サイズ、並びに動画再生領域６１のサイズの情報を取得する。表示制御部２２は、取得した情報に基づいて、左動画６２Ｌ及び右動画６２Ｒの少なくとも一方について調整した表示サイズを求める。例えば、表示制御部２２は、左動画６２Ｌについて指定された幅をＨＬ、右動画６２Ｒについて指定された幅をＨＲとし、現在の左動画６２Ｒの表示サイズをＨＲ／ＨＬ倍して、左動画６２Ｌの調整後の表示サイズを求める。なお、調整後の表示サイズは、垂直方向及び水平方向共にＨＲ／ＨＬ倍してもよいし、垂直方向のみをＨＲ／ＨＬ倍してもよい。図４の例では、垂直方向及び水平方向共に拡大した例を示している。
【００２８】
また、表示制御部２２は、各動画６２Ｌ、６２Ｒに対して指定されている垂直幅指定バー６６Ｌ、６６Ｒの垂直方向の位置が同じ位置になるように、両動画６２Ｌ、６２Ｒの表示位置を求める。なお、各動画６２Ｌ、６２Ｒの表示位置は、垂直幅指定バー６６Ｌ、６６Ｒの垂直方向の位置で揃える場合に限定されず、各動画６２Ｌ、６２Ｒの中央位置が、動画再生領域６１内の垂直方向中央になるように求めてもよい。また、表示サイズ調整後の各動画６２Ｌ、６２Ｒが、動画再生領域６１からはみ出さないように表示位置を調整してもよい。さらに、表示位置は変更することなく、表示サイズ調整前の表示位置をそのまま利用してもよいため、以下では、主に表示サイズの調整に着目して説明する。
【００２９】
表示制御部２２は、左動画６２Ｌ及び右動画６２Ｒの各々の制御情報に含まれる表示サイズの情報を、上記のように求めた表示サイズに更新する。そして、表示制御部２２は、更新した制御情報に基づいて、左動画６２Ｌ及び右動画６２Ｒの少なくとも一方の表示サイズを変更する。
【００３０】
上記のように、本実施形態では、左動画６２Ｌ及び右動画６２Ｒの各々が持つ制御情報により、左動画６２Ｌ及び右動画６２Ｒの各々を任意のサイズで任意の領域に配置可能である。これにより、各動画６２Ｌ、６２Ｒについて指定された垂直方向の幅に基づいて、左動画６２Ｌ及び右動画６２Ｒの各々の表示サイズを調整することができる。このような動画の表示サイズの調整は、メディアプレーヤーのような簡易に扱える大きな枠組みのワークフレームではなく、細かな機能を実現可能なワークフレームの組み合わせにより実現することができる。例えば、動画を表示するワークフレーム、線を表示するワークフレーム、タッチ等の操作を検出するワークフレームなどの組み合わせにより、上記の機能を実現することができる。動画を表示するワークフレームとしては、例えば、ｉＯＳ（登録商標）におけるオーディオ関連のワークフレームであるＡＶＦｏｕｎｄａｔｉｏｎのＡＶＰｌａｙｅｒ、ＡＶＰｌａｙｅｒＩｔｅｍのレイヤを使用することができる。
【００３１】
動画再生装置２０は、例えば、図５に示すコンピュータ４０で実現することができる。コンピュータ４０は、ＣＰＵ４１、一時記憶領域としてのメモリ４２、及び不揮発性の記憶部４３を備える。また、コンピュータ４０は、表示装置及び入力装置等の入出力装置４８が接続される入出力インターフェース（Ｉ／Ｆ）４４を備える。また、コンピュータ４０は、記録媒体４９に対するデータの読み込みと書き込みとを制御するｒｅａｄ／ｗｒｉｔｅ（Ｒ／Ｗ）部４５、及びインターネット等のネットワークに接続されるネットワークＩ／Ｆ４６を備える。ＣＰＵ４１、メモリ４２、記憶部４３、入出力Ｉ／Ｆ４４、Ｒ／Ｗ部４５、及びネットワークＩ／Ｆ４６は、バス４７を介して互いに接続される。
【００３２】
記憶部４３は、ＨＤＤ（Hard Disk Drive）、ＳＳＤ（solid state drive）、フラッシュメモリ等によって実現できる。記憶媒体としての記憶部４３には、コンピュータ４０を動画再生装置２０として機能させるための動画再生プログラム５０が記憶される。動画再生プログラム５０は、取得プロセス５１と、表示制御プロセス５２とを有する。
【００３３】
ＣＰＵ４１は、動画再生プログラム５０を記憶部４３から読み出してメモリ４２に展開し、動画再生プログラム５０が有するプロセスを順次実行する。ＣＰＵ４１は、取得プロセス５１を実行することで、図１に示す取得部２１として動作する。また、ＣＰＵ４１は、表示制御プロセス５２を実行することで、図１に示す表示制御部２２として動作する。これにより、動画再生プログラム５０を実行したコンピュータ４０が、動画再生装置２０として機能することになる。
【００３４】
なお、動画再生プログラム５０により実現される機能は、例えば半導体集積回路、より詳しくはＡＳＩＣ（Application Specific Integrated Circuit）等で実現することも可能である。
【００３５】
次に、第１実施形態に係る動画再生システム１０の作用について説明する。
【００３６】
動画再生装置２０において、ユーザが、動画再生のアプリケーションにログインすると、取得部２１が、ログインユーザの識別情報（例えば、ユーザ名）を動画管理装置３０へ送信する。
【００３７】
動画管理装置３０では、ユーザの識別情報を受け付けると、制御部３１が、ログインユーザへの配信が許可されている動画データのプレイリスト一覧を、動画再生装置２０へ送信する。
【００３８】
動画再生装置２０では、取得部２１が、取得したプレイリスト一覧を表示制御部２２へ受け渡す。表示制御部２２は、例えば、図２に示すような動画再生画面６０（左動画６２Ｌ及び右動画６２Ｒは未表示）を表示する。
【００３９】
ユーザにより、左動画用のプレイリスト一覧６３Ｌ及び右動画用のプレイリスト一覧６３Ｒの各々からサムネイル画像が選択されると、表示制御部２２が、選択されたサムネイル画像を強調表示する。そして、表示制御部２２が、左動画用のプレイリスト一覧６３Ｌから選択されたサムネイル画像に対応するプレイリスト名と、右動画用のプレイリスト一覧６３Ｒから選択されたサムネイル画像に対応するプレイリスト名とを、取得部２１に通知する。そして、取得部２１が、通知された左動画６２Ｌ及び右動画用の６２Ｒの各々を示すプレイリスト名を動画管理装置３０へ送信することにより、動画管理装置３０に動画データを要求する。
【００４０】
動画管理装置３０では、制御部３１が、要求された動画データに対応するプレイリストを動画ＤＢ３２から取得し、動画再生装置２０に送信する。
【００４１】
動画再生装置２０では、取得部２１が、プレイリストを取得し、取得したプレイリストに従って、動画管理装置３０へ順次分割ファイルを要求する。
【００４２】
動画管理装置３０では、制御部３１が、要求された分割ファイルを動画ＤＢ３２から取得し、順次動画再生装置２０に送信する。
【００４３】
動画再生装置２０では、取得部２１が、取得した分割ファイルを、順次表示制御部２２へ受け渡す。そして、表示制御部２２は、取得部２１から分割ファイルを受け取ると、動画再生領域６１において、左動画６２Ｌ及び右動画６２Ｒの各々を再生する。左動画６２Ｌ及び右動画６２Ｒの各々の表示サイズ及び表示位置は、左動画６２Ｌ及び右動画６２Ｒの各々が持つ制御情報により定まる。なお、この段階では、制御情報には、予め定めた初期値が設定されているものとする。そして、表示制御部２２が、各操作ボタン群６４Ｌ、６４Ｃ、６４Ｒの操作ボタンに対するユーザの操作に基づいて、左動画６２Ｌ及び右動画６２Ｒの各々の再生を制御する。
【００４４】
そして、垂直幅指定バー表示ボタン６５を含む動画再生画面６０が表示されている状態で、垂直幅指定バー表示ボタン６５がユーザにより選択されると、動画再生装置２０において、図６に示す表示サイズ調整処理が実行される。
【００４５】
図６に示す表示サイズ調整処理のステップＳ１１で、表示制御部２２が、例えば、図３に示すように、左動画６２Ｌ上の予め定めた初期位置に左動画用の垂直幅指定バー６６Ｌを表示する。同様に、表示制御部２２が、右動画６２Ｒ上の予め定めた初期位置に右動画用の垂直幅指定バー６６Ｒを表示する。
【００４６】
次に、ステップＳ１２で、表示制御部２２が、ユーザにより表示サイズ調整実行ボタン６８が選択されたか否かを判定する。表示サイズ調整実行ボタン６８が選択されていない場合には、処理はステップＳ１３へ移行する。
【００４７】
ステップＳ１３では、表示制御部２２が、左動画用の垂直幅指定バー６６Ｌ及び右動画用の垂直幅指定バー６６Ｒのいずれかの位置の変更を受け付けたか否かを判定する。例えば、いずれかの垂直幅指定バー位置調整ボタン６７Ｌ、６７Ｒが選択された場合や、いずれかの垂直幅指定バー６６Ｌ、６６Ｒがドラッグやスワイプ操作された場合には、表示制御部２２は、位置の変更を受け付け、処理はステップＳ１４へ移行する。一方、位置の変更を受け付けていない場合には、処理はステップＳ１２に戻る。
【００４８】
ステップＳ１４では、表示制御部２２が、上記ステップＳ１３で受け付けた位置に垂直幅指定バー６６Ｌ、６６Ｒが表示されるように、垂直幅指定バー６６Ｌ、６６Ｒの表示位置を変更して、処理はステップＳ１２に戻る。
【００４９】
ステップＳ１２で、表示制御部２２が、ユーザにより表示サイズ調整実行ボタン６８が選択されたと判定すると、処理はステップＳ１５へ移行する。ステップＳ１５では、表示制御部２２が、例えば、図４に示すように、各垂直幅指定バー６６Ｌ、６６Ｒで指定された各動画６２Ｌ、６２Ｒ内の幅の表示サイズが等しくなるように、左動画６２Ｌ及び右動画６２Ｒの少なくとも一方の表示サイズを調整する。そして、表示サイズ調整処理は終了する。
【００５０】
以上説明したように、第１実施形態に係る動画再生システム１０によれば、動画再生装置２０が、左動画及び右動画の表示サイズを、垂直幅指定バーで指定された両画像内の垂直方向の幅が等しくなるように調整する。これにより、左動画と右動画との比較が容易になる。
【００５１】
なお、第１実施形態では、水平方向に並んで配置された左動画６２Ｌと右動画６２Ｒとの表示サイズを、指定された垂直方向の幅に基づいて調整する場合について説明したが、これに限定されない。例えば、図７に示すように、動画再生画面１６０において、垂直方向に並んで配置された上動画６２Ｕ及び下動画６２Ｄの水平方向の幅の指定を受け付けて、表示サイズを調整するようにしてもよい。動画再生画面１６０において、図３における動画再生画面６０の各構成と同様の構成については、符号の末尾のみを「Ｌ」又は「Ｒ」から「Ｕ」又は「Ｄ」に変えた同様の符号を付して、詳細な説明は省略する。なお、符号の「Ｕ」は、上動画６２Ｕに関連する構成に付し、符号の「Ｄ」は、下動画６２Ｄに関連する構成に付している。
【００５２】
具体的には、表示制御部２２は、動画再生画面１６０に設けた水平幅指定バー表示ボタン１６５（図８も参照）が選択されると、上動画６２Ｕ上に２本の上動画用の水平幅指定バー６６Ｕを表示する。また、表示制御部２２は、下動画６２Ｄ上に２本の下動画用の水平幅指定バー６６Ｄを表示する。各水平幅指定バー６６Ｕ、６６Ｄは、垂直幅指定バー６６Ｌ、６６Ｒと同様、上動画用の水平幅指定バー位置調整ボタン６７Ｕ、及び下動画用の水平幅指定バー位置調整ボタン６７Ｄの操作により、水平方向への移動が可能である。また、各水平幅指定バー６６Ｕ、６６Ｄをドラックやスワイプ操作により直接水平方向に移動させることも可能である。
【００５３】
動画再生画面１６０に設けた表示サイズ調整実行ボタン６８が選択されると、表示制御部２２は、２本の上動画用の水平幅指定バー６６Ｕの水平方向の間隔を、上動画６２Ｕについて指定された幅として受け付ける。また、表示制御部２２は、２本の下動画用の水平幅指定バー６６Ｄのそれぞれの水平方向の間隔を、下動画６２Ｄについて指定された幅として受け付ける。そして、表示制御部２２は、図８に示すように、水平幅指定バー６６Ｕ及び６６Ｄの各々で指定された各動画６２Ｌ、６２Ｒ内の水平方向の幅の表示サイズが等しくなるように、上動画６２Ｕ及び下動画６２Ｄの少なくとも一方の表示サイズを調整する。例えば、表示制御部２２は、上動画６２Ｕについて指定された幅をＷＵ、下動画６２Ｄについて指定された幅をＷＤとし、現在の上動画６２Ｕの表示サイズをＷＤ／ＷＵ倍して、上動画６２Ｕの調整後の表示サイズを求める。なお、図８では、上動画６２Ｕの表示サイズを拡大した例を示しており、拡大前の上動画６２Ｕを点線Ｑ１で、各動画６２Ｕ、６２Ｄにおいて指定されていた各水平幅指定バー６６Ｕ、６６Ｄが表示されていた位置を、点線Ｑ２で示している。
【００５４】
これにより、左動画６２Ｌ及び右動画６２Ｒについて指定された垂直方向の幅に基づいて表示サイズを調整する場合と同様に、上動画６２Ｕ及び下動画６２Ｄについて指定された水平方向の幅に基づいて表示サイズを調整することができる。
【００５５】
また、表示サイズを調整した左動画６２Ｌと右動画６２Ｒとを、例えば、両動画６２Ｌ、６２Ｒの中心位置や、各動画６２Ｌ、６２Ｒに対してユーザにより指定された位置を一致させるように重畳して表示してもよい。例えば、表示サイズ調整後の一方の動画を動画再生領域６１の中央に配置し、その上に、表示サイズ調整後の他方の動画に透過設定を行った上で重畳することができる。なお、重ね合わせの順番（どちらの動画を上に重ねるか）、及び透過設定の情報は、各動画６２Ｌ、６２Ｒの制御情報として持たせることができる。さらに、一方の動画に重畳した他方の動画の表示位置ずらすように、重畳表示位置を微調整可能にしてもよい。
【００５６】
＜第２実施形態＞
次に、第２実施形態に係る動画再生システムついて説明する。なお、第２実施形態に係る動画再生システムにおいて、第１実施形態に係る動画再生システム１０と同様の部分には、同一符号を付して詳細な説明を省略する。
【００５７】
図１に示すように、第２実施形態に係る動画再生システム２１０は、動画再生装置２２０と、動画管理装置３０とを含む。動画再生装置２２０と、動画管理装置３０とは、互いにネットワークを介して接続されている。動画再生装置２２０は、図１に示すように、機能的には、取得部２１と、表示制御部２２２とを含む。なお、表示制御部２２２は、本発明の受付部及び調整部の一例である。
【００５８】
表示制御部２２２は、取得部２１からプレイリスト一覧を受け取ると、例えば、図９に示すような動画再生画面２６０を表示部に表示する。動画再生画面２６０は、第１実施形態における動画再生画面６０の垂直幅指定バー表示ボタン６５に代えて、指定枠表示ボタン２６５を含む。指定枠とは、左動画６２Ｌ及び右動画６２Ｒの各々についての表示サイズの調整の基準となる領域を指定するための枠である。指定枠表示ボタン２６５が選択されると、表示制御部２２２は、例えば、図１０に示すように、左動画６２Ｌ上に左動画用の指定枠２６６Ｌを表示し、右動画６２Ｒ上に右動画用の指定枠２６６Ｒを表示する。指定枠表示ボタン２６５が選択された際に表示する各指定枠２６６Ｌ、２６６Ｒの位置及びサイズは、予め定めた初期位置及び初期サイズ（例えば、各動画６２Ｌ、６２Ｒの中央に、各動画６２Ｌ、６２Ｒの１／２のサイズ）とすることができる。
【００５９】
また、表示制御部２２２は、動画再生画面２６０の所定領域に、左動画用の指定枠調整ボタン２６７Ｌ、及び右動画用の指定枠調整ボタン２６７Ｒを表示する。各指定枠調整ボタン２６７Ｌ、２６７Ｒは、各指定枠２６６Ｌ、２６６Ｒのサイズ及び位置の変更を指示するためのボタンである。例えば、表示制御部２２２は、各指定枠調整ボタン２６７Ｌ、２６７Ｒの上下左右のいずれかの方向を示すボタンが１回選択される毎に、各指定枠２６６Ｌ、２６６Ｒの選択された辺を所定画素（例えば、１画素）分ずつ、指定された方向に拡縮する。また、表示制御部２２２は、各指定枠調整ボタン２６７Ｌ、２６７Ｒの上下左右のいずれかの方向を示すボタンが長押しされた場合には、各指定枠２６６Ｌ、２６６Ｒの位置を長押しの長さに応じて、指定された方向に移動させる。なお、各指定枠２６６Ｌ、２６６Ｒは、ドラッグやスワイプ操作により、直接拡縮又は移動可能としてもよい。また、指定枠のサイズの変更は、縦サイズと横サイズとを個別に変更可能としてもよいし、縦横比を固定してもよい。
【００６０】
また、表示制御部２２２は、動画再生画面２６０の所定領域に、指定枠表示ボタン２６５に代えて、表示サイズ調整実行ボタン６８を表示する。表示サイズ調整実行ボタン６８が選択されると、表示制御部２２２は、図１１に示すように、指定枠２６６Ｌ、２６６Ｒに基づいて、左動画６２Ｌ及び右動画６２Ｒの少なくとも一方の表示サイズを調整する。なお、図１１は、左動画６２Ｌの表示サイズを拡大した例であり、拡大前の左動画６２Ｌにおいて指定されていた指定枠２６６Ｌを点線Ｓ１で、表示サイズ調整後の各動画６２Ｌ、６２Ｒに対する各指定枠２６６Ｌ、２６６Ｒ相当の位置を、点線Ｐ２で示している。
【００６１】
例えば、指定された左動画用の指定枠２６６Ｌの縦サイズをＨＬ、横サイズをＷＬとし、指定された右動画用の指定枠２６６Ｒの縦サイズをＨＲ、横サイズをＷＲとする。表示制御部２２２は、現在の左動画６２Ｒの垂直方向の表示サイズをＨＲ／ＨＬ倍し、水平方向の表示サイズをＷＲ／ＷＬ倍して、左動画６２Ｌの調整後の表示サイズを求める。なお、指定枠２６６Ｌ、２６６Ｒのサイズの縦横比が固定されている場合には、指定枠２６６Ｌ、２６６Ｒの縦サイズを、第１実施形態で各動画６２Ｌ、６２Ｒについて指定された幅と同様に扱って、各動画６２Ｌ、６２Ｒの表示サイズを求めることができる。
【００６２】
表示制御部２２２は、左動画６２Ｌ及び右動画６２Ｒの各々の制御情報に含まれる表示サイズの情報を、上記のように求めた表示サイズに更新する。そして、表示制御部２２２は、更新された制御情報に基づいて、左動画６２Ｌ及び右動画６２Ｒの少なくとも一方の表示サイズを変更する。
【００６３】
動画再生装置２２０は、例えば、図５に示すコンピュータ４０で実現することができる。コンピュータ４０の記憶部４３には、コンピュータ４０を動画再生装置２２０として機能させるための動画再生プログラム２５０が記憶される。動画再生プログラム２５０は、取得プロセス５１と、表示制御プロセス２５２とを有する。
【００６４】
ＣＰＵ４１は、動画再生プログラム２５０を記憶部４３から読み出してメモリ４２に展開し、動画再生プログラム２５０が有するプロセスを順次実行する。ＣＰＵ４１は、取得プロセス５１を実行することで、図１に示す取得部２１として動作する。また、ＣＰＵ４１は、表示制御プロセス２５２を実行することで、図１に示す表示制御部２２２として動作する。これにより、動画再生プログラム２５０を実行したコンピュータ４０が、動画再生装置２２０として機能することになる。
【００６５】
なお、動画再生プログラム２５０により実現される機能は、例えば半導体集積回路、より詳しくはＡＳＩＣ等で実現することも可能である。
【００６６】
第２実施形態に係る動画再生システム２１０の作用については、表示サイズ調整の基準として、垂直幅指定バー６６Ｌ、６６Ｒに代えて、指定枠２６６Ｌ、２６６Ｒを用いる点が第１実施形態と異なるだけであるため、説明を省略する。
【００６７】
以上説明したように、第２実施形態に係る動画再生システム２１０によれば、動画再生装置２２０が、左動画及び右動画の表示サイズを、指定枠で指定された両画像内の領域のサイズが等しくなるように調整する。これにより、左動画と右動画との比較が容易になる。
【００６８】
＜第３実施形態＞
次に、第３実施形態に係る動画再生システムついて説明する。第３実施形態では、ユーザ間で動画の表示サイズを共有する場合について説明する。なお、第３実施形態に係る動画再生システムにおいて、第１実施形態に係る動画再生システム１０と同様の部分には、同一符号を付して詳細な説明を省略する。
【００６９】
図１に示すように、第３実施形態に係る動画再生システム３１０は、動画再生装置３２０と、動画管理装置３３０とを含む。動画再生装置３２０と、動画管理装置３３０とは、互いにネットワークを介して接続されている。
【００７０】
動画管理装置３３０の制御部３３１は、第１実施形態における制御部３１と同様に、動画再生装置３２０への動画データの配信を制御する。加えて、制御部３３１は、ユーザ間で動画の表示サイズを共有するための共有情報を管理する。詳細は後述するが、共有情報には、ユーザ名、２つのプレイリスト名、並びに各プレイリストが示す動画の表示サイズ及び表示位置の情報が含まれる。以下では、動画管理装置３３０へ共有情報を登録する側のユーザを「送信側ユーザ」ともいい、動画管理装置３３０で管理されている共有情報を利用して動画を再生する側のユーザを「受信側ユーザ」ともいう。
【００７１】
具体的には、制御部３３１は、送信側ユーザの指示により、動画再生装置３２０から送信された共有情報を受け付ける。制御部３３１は、複数の動画データ及び各動画データのプレイリストを格納した動画ＤＢ３３２に、例えば、図１２に示すような共有情報テーブル３３２Ａを保持して、受け付けた共有情報を管理する。図１２の例では、各行が１つの共有情報に相当する。また、「プレイリスト１」及び「プレイリスト２」は、共有情報に含まれる２つのプレイリスト名のそれぞれである。なお、第３実施形態でも、第１実施形態と同様に、動画再生装置３２０においては、左動画６２Ｌと右動画６２Ｒとを並べた状態で動画再生を行う。そのため、２つのプレイリスト名の各々は、左動画６２Ｌのプレイリスト名と、右動画６２Ｒのプレイリスト名である。ただし、両動画６２Ｌ、６２Ｒは、表示位置に基づいて、左動画６２Ｌか右動画６２Ｒかを識別可能であるため、プレイリスト１又はプレイリスト２が、左動画６２Ｌ及び右動画６２Ｒのいずれに該当するかを特定する必要はない。
【００７２】
また、制御部３３１は、送信側ユーザ毎に共有情報を管理する。そこで、制御部３３１は、共有情報を共有情報テーブル３３２Ａに登録する際に、ユーザ名毎の共有情報を識別するための番号を、「ユーザ別共有情報番号」として各共有情報に付与する。
【００７３】
また、動画ＤＢ３３２には、図１３に示すように、ユーザ毎に、そのユーザが送信側ユーザとして送信した共有情報を、受信側ユーザとして利用可能なユーザの識別情報（例えば、ユーザ名）が対応付けられた共有ユーザテーブル３３２Ｂも格納される。共有ユーザテーブル３３２Ｂは、アプリケーションの利用登録時に予め登録してもよいし、共有情報に、共有情報を利用可能なユーザのユーザ名を含めておき、制御部３３１で共有情報を受け付けた際に登録してもよい。
【００７４】
制御部３３１は、ログインユーザへの配信が許可されている動画データのプレイリスト一覧を送信すると共に、ログインユーザが利用可能な共有情報が存在する場合には、その旨を動画再生装置３２０に通知する。具体的には、制御部３３１は、共有ユーザテーブル３３２Ｂを参照して、「受信側ユーザ」欄からログインユーザのユーザ名を検索し、対応する送信側ユーザのユーザ名を取得する。そして、制御部３３１は、共有情報テーブル３３２Ａに、取得したユーザ名に対応付けて管理されている共有情報が存在する場合に、ログインユーザが利用可能な共有情報が存在すると判定する。
【００７５】
また、制御部３３１は、動画再生装置３２０から、共有リストの要求（詳細は後述）を受け付けると、ログインユーザが利用可能な共有情報を共有情報テーブル３３２Ａから取得して、取得した共有情報をリスト化した共有リストを動画再生装置３２０へ送信する。共有リストには、少なくとも、各共有情報のユーザ名及びユーザ別共有情報番号を含める。また、共有情報に含まれる情報以外にも、各共有情報に含まれるプレイリスト名が示す動画データのメタ情報やサムネイル画像等を含んでもよい。
【００７６】
また、制御部３３１は、動画再生装置３２０から、共有された動画の要求を受け付けた場合には、要求された動画についての共有情報と、その共有情報に含まれる２つのプレイリスト名の各々が示す２つのプレイリストとを、動画ＤＢ３３２から取得する。そして、制御部３３１は、取得した共有情報及びプレイリストを動画再生装置３２０へ送信する。
【００７７】
動画再生装置３２０は、図１に示すように、機能的には、取得部３２１と、表示制御部３２２とを含む。なお、表示制御部３２２は、本発明の受付部及び調整部の一例である。
【００７８】
取得部３２１は、第１実施形態の取得部２１と同様に、動画管理装置３３０から動画データを取得する。加えて、取得部３２１は、送信側ユーザの指示により、動画管理装置３３０へ共有情報を送信する。
【００７９】
また、取得部３２１は、受信側ユーザの指示により、動画管理装置３３０から共有された動画データを取得する。具体的には、取得部３２１は、ユーザがログインした際に、動画管理装置３３０から、ログインユーザが利用可能な共有情報が存在する旨の通知を受け付けた場合には、その旨を表示制御部３２２に通知する。また、取得部３２１は、表示制御部３２２から、共有リスト表示ボタンが選択された旨が通知（詳細は後述）されると、動画管理装置３３０に、共有リストを要求する。また、取得部３２１は、要求に応じて受け付けた共有リストを表示制御部３２２へ受け渡す。さらに、取得部３２１は、表示制御部３２２から、共有リストから選択された共有情報のユーザ名及びユーザ別共有情報番号が通知（詳細は後述）されると、ユーザ名及びユーザ別共有情報番号を動画管理装置３３０に送信することにより、共有された動画を要求する。そして、取得部３２１は、要求に応じて受け付けた共有情報及びプレイリストを取得し、プレイリストに従って、動画管理装置３３０から順次分割ファイルを取得し、取得した分割ファイルを共有情報と共に表示制御部３２２へ受け渡す。
【００８０】
表示制御部３２２は、第１実施形態の表示制御部３２２と同様に、動画再生画面を表示部に表示し、左動画６２Ｌと右動画６２Ｒとの表示サイズ調整を行う。加えて、表示制御部３２２は、例えば、図１４に示すように、左動画６２Ｌと右動画６２Ｒとの表示サイズ調整が行われた動画再生画面３６０に、共有ボタン７１を表示する。共有ボタン７１が選択されると、表示制御部３２２は、再生中の左動画６２Ｌ及び右動画６２Ｒの各々のプレイリスト名をプレイリスト一覧から取得し、表示サイズ及び表示位置の情報を、各動画６２Ｌ、６２Ｒが持つ制御情報から取得する。表示制御部３２２は、取得した左動画６２Ｌ及び右動画６２Ｒの各々のプレイリスト名、並びに表示サイズ及び表示位置の情報に、ログインユーザの識別情報（例えば、ユーザ名）を付加し、これを共有情報として取得部３２１に受け渡す。
【００８１】
また、表示制御部３２２は、取得部３２１から、ログインユーザが利用可能な共有情報が存在する旨の通知がされると、図１５に示すように、動画再生画面３６０に、共有リスト表示ボタン７２を表示する。共有リスト表示ボタン７２が選択されると、表示制御部３２２は、その旨を取得部３２１に通知する。
【００８２】
また、表示制御部３２２は、取得部３２１から共有リストを受け取ると、例えば、図１６に示すような、共有リスト画面８０を表示する。共有リスト画面８０は、動画再生画面３６０から切り替えて表示してもよいし、動画再生画面３６０の上に重畳して表示してもよい。図１６の例では、共有リスト画面８０は、共有リスト８１と選択ボタン８２とを含む。共有リスト８１は、各行が１つの共有情報に対応しており、各行が選択可能な状態で表示される。また、共有リスト８１の各行は、少なくともユーザ名及びユーザ別共有情報番号と紐付いており、共有リスト８１から少なくとも１つの行が選択されることにより、その行に紐付いたユーザ名及びユーザ別共有情報番号で特定される共有情報が選択されることになる。なお、図１６の例では、共有リスト８１に含まれる項目は、ユーザ名、プレイリスト１、及びプレイリスト２である場合を示しているが、これに限定されない。動画管理装置３３０から取得された共有リストに、各プレイリスト名が示す動画データのメタ情報やサムネイル画像等が含まれる場合には、それらの情報を合わせて表示してもよい。
【００８３】
共有リスト８１から少なくとも１つの行が選択された状態で、選択ボタン８２が選択されると、表示制御部３２２は、共有リスト８１において選択されている行に紐付けられたユーザ名及びユーザ別共有情報番号を取得部３２１に通知する。また、表示制御部３３２は、共有リスト画面８０を閉じて、動画再生画面３６０に表示を戻す。
【００８４】
また、表示制御部３２２は、取得部３２１から、分割ファイルと共に共有情報を受け取った場合には、分割ファイルが示す動画の制御情報に、共有情報に含まれる表示サイズ及び表示位置の情報を設定する。具体的には、例えば、図１２に示す共有情報テーブル３３２Ａの１行目の共有情報を受け取った場合には、プレイリスト１に従って取得された分割ファイルが示す動画の制御情報に含まれる水平方向の幅にＷ１、垂直方向の幅にＨ１、表示位置に（ｘ１，ｙ１）を設定する。同様に、プレイリスト２に従って取得された分割ファイルが示す動画の制御情報に含まれる水平方向の幅にＷ２、垂直方向の幅にＨ２、表示位置に（ｘ２，ｙ２）を設定する。そして、表示制御部３２２は、制御情報に従った表示サイズで各動画６２Ｌ、６２Ｒを配置することで、受信側ユーザが動画を再生する際に、送信側ユーザが共有ボタン７１を選択したときの動画再生画面３６０と同じ表示サイズ及び表示位置で動画を表示することができる。
【００８５】
動画再生装置３２０は、例えば、図５に示すコンピュータ４０で実現することができる。コンピュータ４０の記憶部４３には、コンピュータ４０を動画再生装置３２０として機能させるための動画再生プログラム３５０が記憶される。動画再生プログラム３５０は、取得プロセス３５１と、表示制御プロセス３５２とを有する。
【００８６】
ＣＰＵ４１は、動画再生プログラム３５０を記憶部４３から読み出してメモリ４２に展開し、動画再生プログラム３５０が有するプロセスを順次実行する。ＣＰＵ４１は、取得プロセス３５１を実行することで、図１に示す取得部３２１として動作する。また、ＣＰＵ４１は、表示制御プロセス３５２を実行することで、図１に示す表示制御部３２２として動作する。これにより、動画再生プログラム３５０を実行したコンピュータ４０が、動画再生装置３２０として機能することになる。
【００８７】
なお、動画再生プログラム３５０により実現される機能は、例えば半導体集積回路、より詳しくはＡＳＩＣ等で実現することも可能である。
【００８８】
次に、第３実施形態に係る動画再生システム３１０の作用について説明する。第３実施形態では、ユーザ間で動画の表示サイズを共有する処理以外は、第１実施形態と同様であるため、以下、ユーザ間で動画の表示サイズを共有する処理について説明する。
【００８９】
まず、送信側ユーザにより操作される動画再生装置３２０Ａと、動画管理装置３３０と、受信側ユーザにより操作される動画再生装置３２０Ｂとの間でやり取りされる処理の流れを説明した後に、各装置で実行される処理の詳細について説明する。なお、動画再生装置３２０Ａと動画再生装置３２０Ｂとは、共有情報を送信する際と、共有情報を利用する際との振る舞いの違いを説明するために便宜的に区別したものであり、装置構成の相違を意味するものではない。
【００９０】
図１７に、動画再生装置３２０Ａと、動画管理装置３３０と、動画再生装置３２０Ｂとの間でやり取りされる処理の流れを表したシーケンス図を示す。動画再生装置３２０Ａにおいて、例えば、第１実施形態における表示サイズ調整処理（図６）と同様に、左動画６２Ｌと右動画６２Ｒとの表示サイズ調整処理が実行される（Ｓ１０）。その状態で、動画再生画面３６０から共有ボタン７１が選択されると、表示制御部３２２は、共有情報を作成し（Ｓ３０）、動画管理装置３３０へ送信する（Ｓ３３）。動画管理装置３３０では、受け付けた共有情報を管理する（Ｓ４０）。
【００９１】
そして、動画再生装置３２０Ｂでユーザがログインすることにより、動画再生装置３２０Ｂからログインユーザのユーザ名が動画管理装置３３０へ送信される（Ｓ７１）。動画管理装置３３０は、そのログインユーザが利用可能な共有情報が存在する場合には、その旨を動画再生装置３２０Ｂへ通知する（Ｓ７２）。この通知を受け、動画再生装置３２０Ｂから共有リストが要求されると（Ｓ６３）、動画管理装置３３０から共有リストが送信される（Ｓ５４）。そして、動画再生装置３２０Ｂから動画管理装置３３０へ、共有された動画が要求される（Ｓ６６）。動画管理装置３３０は、要求された動画についての共有情報及びその共有情報に含まれるプレイリスト名が示すプレイリストを動画再生装置３２０Ｂへ送信する（Ｓ５６）。
【００９２】
動画再生装置３２０Ｂでは、取得した共有情報を解析し、ユーザ名、各プレイリスト名、並びに各プレイリストが示す動画の表示サイズ及び表示位置の情報を抽出する。また、動画再生装置３２０Ｂは、動画管理装置３３０に対して、取得したプレイリストに従って分割ファイルを順次要求する（Ｓ６８）。動画管理装置３３０は、要求に従って、分割ファイルを順次動画再生装置３２０Ｂへ送信する（Ｓ７３）。動画再生装置３２０Ｂでは、取得した分割ファイルが示す動画の表示サイズ及び表示位置を、共有情報に含まれる表示サイズ及び表示位置の情報に従って制御して再生する（Ｓ６９）。
【００９３】
以下、動画再生装置３２０Ａ、動画管理装置３３０、及び動画再生装置３２０Ｂの各々で実行される処理について説明する。なお、各処理において、図１７を参照して説明した処理と同様の処理となるステップについては、同一符号を付す。
【００９４】
まず、動画再生装置３２０Ａでは、動画再生画面３６０に表示された共有ボタン７１が選択されると、図１８に示す共有情報送信処理が実行される。
【００９５】
ステップＳ３１で、表示制御部３２２が、取得部３２１から受け取ったプレイリスト一覧から、再生中の左動画６２Ｌ及び右動画６２Ｒの各々のプレイリスト名を取得する。次に、ステップＳ３２で、表示制御部３２２が、左動画６２Ｌ及び右動画６２Ｒの各々の制御情報から、各動画６２Ｌ、６２Ｒの表示サイズ及び表示位置の情報を取得する。次に、ステップＳ３３で、表示制御部３２２が、取得した２つのプレイリスト名、表示サイズ、及び表示位置の情報に、ログインユーザの識別情報（例えば、ユーザ名）を付加し、これを共有情報として取得部３２１に受け渡す。そして、取得部３２１が、共有情報を動画管理装置３３０へ送信して、共有情報送信処理は終了する。
【００９６】
次に、動画管理装置３３０では、動画再生装置３２０Ａから送信された共有情報を受け付けると、図１９に示す共有情報受信処理が実行される。
【００９７】
ステップＳ４１で、制御部３３１が、受け付けた共有情報にユーザ別共有情報番号を付与する。次に、ステップＳ４２で、制御部３３１が、ユーザ別共有情報番号を付与した共有情報を、動画ＤＢ３３２の共有情報テーブル３３２Ａに格納し、共有情報受信処理は終了する。
【００９８】
また、動画再生装置３２０Ｂにおいてユーザがログインすることにより動画再生装置３２０Ｂから送信されたユーザ名を動画管理装置３３０で受け付けた場合には、動画管理装置３３０において、図２０に示す共有動画送信処理が実行される。
【００９９】
ステップＳ５１で、制御部３３１が、動画ＤＢ３３２の共有ユーザテーブル３３２Ｂ及び共有情報テーブル３３２Ａを参照して、ログインユーザが利用可能な共有情報が存在するか否かを判定する。ログインユーザが利用可能な共有情報が存在する場合には、処理はステップＳ５２へ移行し、ログインユーザが利用可能な共有情報が存在する旨を動画再生装置３２０Ｂに通知する。一方、ログインユーザが利用可能な共有情報が存在しない場合には、共有動画送信処理は終了する。
【０１００】
次に、ステップＳ５３で、制御部３３１が、動画再生装置３２０Ｂからの共有リストの要求を受け付けたか否かを判定する。共有リストの要求を受け付けた場合には、処理はステップＳ５４へ移行し、受け付けていない場合には、本ステップの判定を繰り返す。
【０１０１】
ステップＳ５４では、制御部３３１が、ログインユーザが利用可能な共有情報を共有情報テーブル３３２Ａから取得して、取得した共有情報をリスト化した共有リストを動画再生装置３２０Ｂへ送信する。
【０１０２】
次に、ステップＳ５５で、制御部３３１が、動画再生装置３２０Ｂから、共有された動画の要求を受け付けたか否かを判定する。共有された動画の要求を受け付けた場合には、処理はステップＳ５６へ移行し、受け付けていない場合には、本ステップの判定を繰り返す。
【０１０３】
ステップＳ５６では、制御部３３１が、要求された動画についての共有情報と、その共有情報に含まれる２つのプレイリスト名の各々が示す２つのプレイリストとを、動画ＤＢ３３２から取得して、動画再生装置３２０Ｂへ送信する。
【０１０４】
次に、ステップＳ５７で、制御部３３１が、動画再生装置３２０Ｂから、分割ファイルの要求を受け付けたか否かを判定する。分割ファイルの要求を受け付けた場合には、処理はステップＳ５８へ移行し、受け付けていない場合には、本ステップの判定を繰り返す。
【０１０５】
ステップＳ５８では、制御部３３１が、要求された分割ファイルを、動画ＤＢ３３２から取得して、順次動画再生装置３２０Ｂへ送信し、共有動画送信処理は終了する。
【０１０６】
一方、動画管理装置３３０から動画再生装置３２０Ｂへ、ログインユーザが利用可能な共有情報が存在する旨が通知されると、動画再生装置３２０Ｂにおいて、図２１に示す共有動画再生処理が実行される。
【０１０７】
ステップＳ６１で、取得部３２１が、ログインユーザが利用可能な共有情報が存在する旨を表示制御部３２２へ通知し、この通知を受けて、表示制御部３２２が、動画再生画面３６０に共有リスト表示ボタン７２を表示する。
【０１０８】
次に、ステップＳ６２で、表示制御部３２２が、共有リスト表示ボタン７２が、ユーザにより選択されたか否かを判定する。共有リスト表示ボタン７２が選択された場合には、処理はステップＳ６３へ移行し、選択されていない場合には、本ステップの判定を繰り返す。
【０１０９】
ステップＳ６３では、表示制御部３２２が、共有リスト表示ボタン７２が選択されたことを取得部３２１に通知し、この通知を受けて、取得部３２１が、動画管理装置３３０に共有リストを要求する。次に、ステップＳ６４で、取得部３２１が、要求に応じて動画管理装置３３０から送信された共有リストを取得し、表示制御部３２２へ受け渡す。表示制御部３２２は、例えば、図１６に示すような、共有リスト画面８０を表示する。
【０１１０】
次に、ステップＳ６５で、表示制御部３２２が、共有リスト画面８０の共有リスト８１から少なくとも１つの行が選択された状態で、選択ボタン８２が選択されたか否かを判定することにより、ユーザにより共有情報が選択されたか否かを判定する。共有情報が選択された場合には、処理はステップＳ６６へ移行し、選択されていない場合には、本ステップの判定を繰り返す。
【０１１１】
ステップＳ６６では、表示制御部３２２が、共有リスト８１において選択されている行に紐付けられているユーザ名及びユーザ別共有情報番号を取得部３２１に通知する。この通知を受けて、取得部３２１は、動画管理装置３３０に共有された動画を要求する。また、表示制御部３２２は、共有リスト画面８０を閉じて、動画再生画面３６０に表示を戻す。
【０１１２】
次に、ステップＳ６７で、取得部３２１が、要求に応じて動画管理装置３３０から送信された共有情報及びプレイリストを取得する。次に、ステップＳ６８で、取得部３２１が、プレイリストに従って、動画管理装置３３０から順次分割ファイルを取得し、取得した分割ファイルを、上記ステップＳ６７で取得した共有情報と共に表示制御部３２２へ受け渡す。
【０１１３】
次に、ステップＳ６９で、表示制御部３２２が、取得した分割ファイルが示す動画の制御情報に、共有情報に含まれる表示サイズ及び表示位置の情報を設定し、制御情報に従った表示サイズで各動画６２Ｌ、６２Ｒを配置して再生し、共有動画再生処理は終了する。
【０１１４】
以上説明したように、第３実施形態に係る動画再生システム３１０によれば、動画再生装置３２０が、表示サイズ調整を行った左動画及び右動画の各々の表示サイズの情報を動画管理装置３３０に送信し、動画管理装置３３０において、共有情報として管理する。そして、共有された動画を再生する際には、動画再生装置３２０において、プレイリストと共に共有情報も取得し、共有情報が示す表示サイズに従って動画の表示サイズを決定する。これにより、表示サイズ調整を行った状態の動画を、編集ツール等を使って新たに作成して記憶しておくことなく、あるユーザが複数の動画を比較した際の各動画の表示サイズを、他のユーザも共有して、同じ表示サイズで再生することができる。
【０１１５】
なお、第３実施形態では、動画の表示サイズ及び表示位置を共有する場合について説明したが、送信側ユーザにおいて、共通操作ボタン群６４Ｃが操作されて、２つの動画の再生タイミングが同期されている場合には、この同期の状態も共有するようにしてもよい。この場合、共有ボタン７１が選択されたタイミングで表示されている左動画６２Ｌ及び右動画６２Ｒの各々のコマ画像を特定するための情報（例えば、タイムスタンプやフレーム番号）を取得し、この情報を共有情報に含めるようにすればよい。共有された動画を受信側ユーザで再生する際には、共有情報に含まれるタイムスタンプ等の情報から特定される左動画６２Ｌのコマ画像と右動画６２Ｒのコマ画像とが同じタイミングで表示されるように、左動画６２Ｌ及び右動画６２Ｒの再生タイミングを制御すればよい。
【０１１６】
また、左動画と右動画との表示サイズを調整した上で、両画像を重畳表示した場合には、各動画の表示サイズ及び表示位置の情報と共に、重畳した動画の透過設定等の情報も共有情報として管理すればよい。
【０１１７】
また、上記の各実施形態では、１つの動画データを所定時間毎に分割した分割ファイルを、プレイリストに従って順次取得して再生する場合、すなわち複数のセグメントに分割されて管理される動画データを対象とする場合について説明したが、これに限定されない。例えば、ＭＰＥＧ４のように、各セグメントが個々のファイルとして管理されている動画データを対象とすることもできる。この場合、共有情報には、プレイリスト名に代えて、各ファイルのファイル名を含めるようにすればよい。
【０１１８】
また、上記の各実施形態では、２つの動画を比較する場合を例に説明したが、本発明は、３つ以上の動画を比較する際にも適用可能である。
【０１１９】
また、上記の各実施形態では、図面において、野球の動画を再生する場合を示しているが、対象となる動画は、テニスやゴルフ等の他のスポーツの動画であってもよいし、スポーツ以外の動画であってもよい。開示の技術は、特に、同様の場面を撮影した動画であるが、僅かな画角の違い等が生じている動画の比較に適している。例えば、野球の動画の場合、投手の背後から打者方向を撮影した構図が多く含まれるが、この構図は、同じような構図であっても、球場や放送局の違いなどにより、同じサイズの物体（例えば、選手）が、動画においては異なるサイズで撮影される場合がある。このような動画同士を比較する場合であっても、上記各実施形態のように表示サイズを調整可能であれば、動画の比較が容易になる。また例えば、体格の異なる選手の動作を比較する場合にも、上記各実施形態のように表示サイズを調整可能であれば、動画の比較を容易にすることができる。
【０１２０】
また、上記では、動画再生プログラム５０、２５０、３５０が記憶部４３に予め記憶（インストール）されている態様を説明したが、これに限定されない。開示の技術に係るプログラムは、ＣＤ−ＲＯＭ、ＤＶＤ−ＲＯＭ、ＵＳＢメモリ等の記録媒体に記録された形態で提供することも可能である。
【０１２１】
以上の各実施形態に関し、更に以下の付記を開示する。
【０１２２】
（付記１）
コンピュータに、
複数の動画それぞれについて、動画の表示領域内で垂直方向または水平方向の幅の指定を受け付け、
前記複数の動画それぞれについて指定された幅の表示サイズが等しくなるように、前記複数の動画間で表示サイズを調整する、
処理を実行させることを特徴とする動画再生プログラム。
【０１２３】
（付記２）
前記コンピュータに、
再生中の前記複数の動画それぞれについて、前記幅の指定を受け付ける処理を実行させることを特徴とする付記１記載の動画再生プログラム。
【０１２４】
（付記３）
前記コンピュータに、
前記垂直方向または水平方向の幅の指定として、前記複数の動画それぞれの表示領域内での所定領域の指定を受け付け、
前記表示サイズの調整において、前記複数の動画において指定された前記所定領域の垂直方向および水平方向の幅の表示サイズが等しくなるように、前記複数の動画間で表示サイズを調整する、
処理を実行させることを特徴とする付記１又は付記２記載の動画再生プログラム。
【０１２５】
（付記４）
前記コンピュータに、
前記複数の動画それぞれについて調整された前記表示サイズの情報を記憶部に記憶するように制御する
処理を実行させることを特徴とする付記１〜付記３のいずれか１項記載の動画再生プログラム。
【０１２６】
（付記５）
複数の動画それぞれについて、動画の表示領域内で垂直方向または水平方向の幅の指定を受け付ける受付部と、
前記複数の動画それぞれについて指定された幅の表示サイズが等しくなるように、前記複数の動画間で表示サイズを調整する調整部と、
を含む動画再生装置。
【０１２７】
（付記６）
前記受付部は、再生中の前記複数の動画それぞれについて、前記幅の指定を受け付ける付記５記載の動画再生装置。
【０１２８】
（付記７）
前記受付部は、前記垂直方向または水平方向の幅の指定として、前記複数の動画それぞれの表示領域内での所定領域の指定を受け付け、
前記調整部は、前記表示サイズの調整において、前記複数の動画において指定された前記所定領域の垂直方向および水平方向の幅の表示サイズが等しくなるように、前記複数の動画間で表示サイズを調整する、
ことを特徴とする付記５又は付記６記載の動画再生装置。
【０１２９】
（付記８）
前記複数の動画それぞれについて調整された前記表示サイズの情報を記憶部に記憶するように制御する記憶制御部を含む付記５〜付記７のいずれか１項記載の動画再生装置。
【０１３０】
（付記９）
コンピュータに、
複数の動画それぞれについて、動画の表示領域内で垂直方向または水平方向の幅の指定を受け付け、
前記複数の動画それぞれについて指定された幅の表示サイズが等しくなるように、前記複数の動画間で表示サイズを調整する、
処理を実行させることを特徴とする動画再生方法。
【０１３１】
（付記１０）
前記コンピュータに、
再生中の前記複数の動画それぞれについて、前記幅の指定を受け付ける処理を実行させることを特徴とする付記９記載の動画再生方法。
【０１３２】
（付記１１）
前記コンピュータに、
前記垂直方向または水平方向の幅の指定として、前記複数の動画それぞれの表示領域内での所定領域の指定を受け付け、
前記表示サイズの調整において、前記複数の動画において指定された前記所定領域の垂直方向および水平方向の幅の表示サイズが等しくなるように、前記複数の動画間で表示サイズを調整する、
処理を実行させることを特徴とする付記９又は付記１０記載の動画再生方法。
【０１３３】
（付記１２）
前記コンピュータに、
前記複数の動画それぞれについて調整された前記表示サイズの情報を記憶部に記憶するように制御する
処理を実行させることを特徴とする付記９〜付記１１のいずれか１項記載の動画再生方法。
【０１３４】
（付記１３）
コンピュータに、
複数の動画それぞれについて、動画の表示領域内で垂直方向または水平方向の幅の指定を受け付け、
前記複数の動画それぞれについて指定された幅の表示サイズが等しくなるように、前記複数の動画間で表示サイズを調整する、
処理を実行させることを特徴とする動画再生プログラムを記憶した記憶媒体。
【符号の説明】
【０１３５】
１０、２１０、３１０ 動画再生システム
２０、２２０、３２０ 動画再生装置
２１、３２１  取得部
２２、２２２、３２２ 表示制御部
３０、３３０  動画管理装置
３１、３３１  制御部
３２、３３２  動画データベース
３３２Ａ      共有情報テーブル
３３２Ｂ      共有ユーザテーブル
４０   コンピュータ
４１   ＣＰＵ
４２   メモリ
４３   記憶部
４９   記録媒体
５０、２５０、３５０ 動画再生プログラム
６０、１６０、２６０、３６０       動画再生画面
６１   動画再生領域
６２Ｌ、６２Ｒ、６２Ｕ、６２Ｄ     左動画、右動画、上動画、下動画
６３Ｌ、６３Ｒ       プレイリスト一覧
６４Ｌ、６４Ｃ、６４Ｒ      操作ボタン群
６６Ｌ、６６Ｒ       垂直幅指定バー
６６Ｕ、６６Ｄ       水平幅指定バー
６７Ｌ、６７Ｒ       垂直幅指定バー位置調整ボタン
６７Ｕ、６７Ｄ       水平幅指定バー位置調整ボタン
６８   表示サイズ調整実行ボタン
７１   共有ボタン
８０   共有リスト画面
２６６Ｌ、２６６Ｒ   指定枠
２６７Ｌ、２６７Ｒ   指定枠調整ボタン
【図１】
0006519374.tif 000002
【図２】
0006519374.tif 000003
【図３】
0006519374.tif 000004
【図４】
0006519374.tif 000005
【図５】
0006519374.tif 000006
【図６】
0006519374.tif 000007
【図７】
0006519374.tif 000008
【図８】
0006519374.tif 000009
【図９】
0006519374.tif 000010
【図１０】
0006519374.tif 000011
【図１１】
0006519374.tif 000012
【図１２】
0006519374.tif 000013
【図１３】
0006519374.tif 000014
【図１４】
0006519374.tif 000015
【図１５】
0006519374.tif 000016
【図１６】
0006519374.tif 000017
【図１７】
0006519374.tif 000018
【図１８】
0006519374.tif 000019
【図１９】
0006519374.tif 000020
【図２０】
0006519374.tif 000021
【図２１】
0006519374.tif 000022